(57)【特許請求の範囲】
【請求項１】
ファインダ内の撮影視野枠内において観察される被写体の焦点状態の測定対象領域を示す複数の測定領域のうちの、前記撮影視野内の中央部に配置された第１測定領域を前記被写体に対してスーパーインポーズ表示する第１表示部と、
前記撮像視野枠内における前記複数の測定領域のうちの、前記第１測定領域とは異なる測定領域であって前記第１測定領域の上下および左右に配置された複数の第２測定領域を、前記被写体に対してスーパーインポーズ表ホする第２表示部と、
前記被写体を撮像装置で撮像する際の露出状態または調光状態、および焦点調節状態を含む、該撮像装置の各種機能に関する状態を検知する検知手段と、
前記検知手段による検知結果に基づいて、前記撮像装置が前記各種機能の作動異常または制御不調に陥っている異常状態であるか否かを判別する判別手段と、
前記判別手段により前記異常状態であることが判別されると、前記第１表示部および前記第２表示部に警告動作を実行せしめる制御手段と、を有し、
前記制御手段は、
前記露出状態または前記調光状態における警告動作を行う際には、前記第１、第２表示部で表示される前記複数の測定領域の中から、該露出状態又は該調光状態がオーバーであるかアンダーであるかの方向性を表示するための測定領域であって、その方向性に応じて前記第２測定領域のうちの前記第１測定領域の上下に配置された測定領域の何れか一方を含む複数の測定領域を選択し、その選択された複数の測定領域を用いた表示形態での警告表示を行い、
前記焦点調節状態における警告動作を行う際には、前記第１、第２表示部で表示される前記複数の測定領域の中から、前記焦点調節状態のずれの方向性を表示するための測定領域であって、その方向性に応じて、前記第２測定領域のうちの前記第１測定領域の左右に配置された測定領域の何れか一方を含む複数の測定領域を選択し、その選択された複数の測定領域を用いた、前記表示形態とは異なる表示形態での警告表示を行うように、前記第１表示部および前記第２表示部を制御することを特徴とする撮像機器。
【請求項２】
前記制御手段は、前記第１表示部および前記第２表示部の点灯動作、消灯動作、点滅動作、表示濃度変化動作のうちのいずれか１つの動作により、または２つ以上の動作の組合せにより、前記警告動作を実行せしめることを特徴とする請求項１に記載の撮像機器。
【請求項３】
前記制御手段は、前記第１表示部または前記第２表示部の点滅周期を制御することにより、該第１表示部または前記第２表示部に前記警告動作を実行せしめることを特徴とする請求項１乃至請求項２のいずれか１項に記載の撮像機器。
【発明の詳細な説明】
【０００１】
【発明の属する技術分野】
本発明は、カメラ、ビデオなどの撮像装置に関する。
【０００２】
【従来の技術】
スチールカメラやビデオカメラ等の撮像装置において、そのファインダ画面内部に、焦点調節エリア、露出測定エリアまたは視線入力用の視線目標等の表示の為に、スーパーインポーズ表示を行うものがある。例えば、焦点検出エリア表示用のものであれば、測距用として作動中のエリアが光ったり色が濃くなったりして点灯表示するものである。
【０００３】
これらの撮像装置には測距機能や測光機能等の各種機能があり、ムービー撮影時や連写時にも被写体の動きに追従した撮像動作を行う為に、測距や露出測定値をあらかじめ定められたタイミングの時間内に行い、ピントや露出の制御を行う機能がある。
【０００４】
これらの連続した制御にあたり、被写体の挙動が撮像装置のソフトウェア上の想定を越えるものがあり、撮像装置がその挙動に対してピントや露出を調節仕切ることが不可能になったり、あるいは撮像装置の作動部分が不調になった為に通常ならば連続制御可能な動作の被写体に対して、測距や測光および制御が追い付かなくなる場合がある。
【０００５】
【発明が解決しようとする課題】
制御が追いつかなくなっても撮像装置が正常作動時と同様の動作を続けている場合には、撮影者がその制御の不調を即座に気付くことが出来なくなる。また、撮影時の撮影者は撮影中のファインダー画面に集中していて、画面外の各種表示は意識して確認する以外は眼に入らない確率が極めて高い。仮に、画面外や画面周辺の表示部材を用いて警告表示を行っても、撮影者が即座には気が付きにくく、場合によっては最後まで気が付かないことも考えられる。
【０００６】
本発明は、上記の問題点に鑑みてなされたもので、撮影者に見落とされる確率の極めて少ない、確実で、かつリアルタイムな警告を行うことを目的とする。
【０００７】
【課題を解決するための手段】
この目的を達成するために、第１発明の撮像機器は、ファインダ内の撮影視野枠内において観察される被写体の焦点状態の測定対象領域を示す複数の測定領域のうちの、撮影視野内の中央部に配置された第１測定領域を被写体に対してスーパーインポーズ表示する第１表示部と、
撮像視野枠内における複数の測定領域のうちの、第１測定領域とは異なる測定領域であって第１測定領域の上下および左右に配置された複数の第２測定領域を、被写体に対してスーパーインポーズ表ホする第２表示部と、
被写体を撮像装置で撮像する際の露出状態または調光状態、および焦点調節状態を含む、該撮像装置の各種機能に関する状態を検知する検知手段と、
検知手段による検知結果に基づいて、撮像装置が各種機能の作動異常または制御不調に陥っている異常状態であるか否かを判別する判別手段と、
判別手段により異常状態であることが判別されると、第１表示部および第２表示部に警告動作を実行せしめる制御手段と、を有し、
制御手段は、
露出状態または調光状態における警告動作を行う際には、第１、第２表示部で表示される複数の測定領域の中から、該露出状態又は該調光状態がオーバーであるかアンダーであるかの方向性を表示するための測定領域であって、その方向性に応じて第２測定領域のうちの第１測定領域の上下に配置された測定領域の何れか一方を含む複数の測定領域を選択し、その選択された複数の測定領域を用いた表示形態での警告表示を行い、
焦点調節状態における警告動作を行う際には、第１、第２表示部で表示される複数の測定領域の中から、焦点調節状態のずれの方向性を表示するための測定領域であって、その方向性に応じて、第２測定領域のうちの第１測定領域の左右に配置された測定領域の何れか一方を含む複数の測定領域を選択し、その選択された複数の測定領域を用いた、表示形態とは異なる表示形態での警告表示を行うように、第１表示部および第２表示部を制御する。
【０００８】
第２発明の撮像機器は、請求項１において、制御手段は、第１表示部および第２表示部の点灯動作、消灯動作、点滅動作、表示濃度変化動作のうちのいずれか１つの動作により、または２つ以上の動作の組合せにより、警告動作を実行せしめることを特徴とする。第３発明の撮像機器は、請求項１乃至請求項２のいずれか１項において、制御手段は、第１表示部または第２表示部の点滅周期を制御することにより、第１表示部または第２表示部に警告動作を実行せしめることを特徴とする。
【０００９】
第４発明の撮像機器は、請求項１乃至請求項３において、検知手段は、前記各種機能の状態として、焦点検出状態、露出状態、調光状態、フィルム給送状態の少なくとも１つの状態を検知することを特徴とする。
【００１０】
第５発明の撮像機器は、請求項１乃至請求項４において、第１表示部および第２表示部は、写真の縦横比を示す写真サイズ表示部材および／または撮影視野枠内における被写体の輝度または焦点状態の測定領域を示す測定領域表示部材であることを特徴とする。
【００１１】
【発明の実施の形態】
以下、本発明に関わる撮像装置の画面内スーパーインポーズ部材を用いた各種作動異常や制御不調の警告方法を、複数の測距エリアを有するオートフォーカスー眼レフカメラを例に挙げて説明する。
【００１２】
図１は、複数の測距エリアを画面内に有する一眼レフカメラのファインダ視野の一例を示す正面図である。図１は、中央測距エリア表示部１ａが反転表示されて、選択された測距エリアが画面中心に有る状況を示す正面図である。図２は、図１に示した複数の測距エリアを有するカメラにおいて、中央測距エリア表示部１ａが点滅することで、オートフォーカス制御が不調になった表示状況を示す正面図である。
【００１３】
図１および図２に示す本発明に関わるファインダ表示の例では、測距エリアが中心と上下左右合計５カ所を有するカメラの例である。これらの測距エリアの選択は不図示の選択用ボタンもしくはダイヤルを以て手動で行うか、カメラに内蔵された自動選択ソフトウェアの作動によって自動選択される。
【００１４】
図１には、撮影者が上述のように５点ある測距エリアの中から中央の測距エリア１ａを選択した場合のファインダ画面２内の状態を示す。図２には図１に示した本発明に関わるファインダにて焦点調節動作に支障が生じた場合のスーパーインポーズ表示を示す。選択された測距エリア表示１ａが点滅してピント調節不調を警告表示している。
【００１５】
上述の図１および図２では、撮影者が中央の測距エリア１ａを選択した場合を示したが、他のいづれの測距エリアを選択しても、選択された各測距エリア表示部１ａ〜１ｅは同様の動作を行うものである。
【００１６】
図３は、本発明に関わる警告表示を行うソフトウェアの動作フローチャートを示す。図４は、本発明に関わる警告表示を行うカメラの外観操作部材を示す外観図である。
【００１７】
図３には本発明に関わるオートフォーカスカメラのオートフォーカス（以下、ＡＦと称す）制御不調警告表示のアルゴリズムを示すフローチャートである。
【００１８】
カメラのＡＦ撮影が開始されると同時に、ステップＳ１にてＡＦ制御不調検出ソフトが起動してからステップＳ２に進む。ＡＦ制御不調検出ソフトはカメラがＡＦ撮影を完了するまで動作し続けるものである。なお、ＡＦ撮影の開始は、図４に示すカメラのシャッタボタン４１の半押し開始時点、もしくはＡＦ作動ボタン４２を押し始めた時点である。ＡＦ撮影の中止は、シャッタボタン４１の半押しを終了したか、もしくはＡＦ作動ボタン４２を押すことを止めた時点である。
【００１９】
ＡＦ制御不調検出ソフトがＡＦ動作不調と判断する場合としては、第１に、動体に対して連続的にＡＦ動作を行っている最中に、被写体が急激に不規則な挙動を示したことが原因となり、カメラの被写体像面予想位置に対して実際の被写体の像面位置が急激に異なる状態に陥った場合や、測距センサが被写体像面位置を見失って連続ＡＦ制御の続行が出来なくなった場合である。第２に、第１の場合のような連続動体追尾ＡＦ制御が不可能になった訳ではないが、連写しながらの動体追尾撮影の場合に連写中のカットで撮影はしたものの、焦点調節を規定の精度以内のレベルで行えなかった場合などが考えられる。
【００２０】
ステップＳ２ではＡＦ制御の動作を判定するタイミングであるか否かを判断する。判定タイミングであると判断した場合はステップＳ３に進み、未だに判定タイミング前と判断されればステップＳ１１に進む。ステップＳ１１ではＡＦ撮影が終了したか否かを判断する。ＡＦ撮影が続行していると判断した場合には、ステップＳ２に戻る。ＡＦ撮影が終了していると判断した場合には、ＡＦ制御不調検出ソフトの動作も終了する。
【００２１】
ステップＳ３では、ＡＦ制御が不調に陥っているか否かを判断する。ＡＦ制御が不調に陥っていると判断した場合にはステップＳ４に進み、正常であると判断されればステップＳ２１に進む。ステップＳ２１では、既に後述のＡＦ制御不調警告である測距エリア表示部の点減が行われているか否かを判断する。ＡＦ制御不調警告が行われていなければそのままステップＳ２３に進み、ＡＦ撮影が終了したか否かを判断する。ＡＦ撮影が終了していればＡＦ制御不調検出ソフトの動作も終了する。ＡＦ撮影が続行していると判断した場合には、ステップＳ２に戻る。ステップＳ２１において、ＡＦ制御不調警告が行われていると判断したときは、ステップＳ２２に進んでＡＦ制御不調警告の測距エリア表示部の点減を停止し通常の連続点灯に復帰させる。
【００２２】
ステップＳ３からステップＳ４に進んだ場合には、図２に示すようにファインダ内の選択された測距エリア表示を通常の連続点灯状態ではなく点滅表示とする。動体連続追尾ＡＦ撮影においては、撮影者は常に選択した測距エリアを被写体像に重ね合わせとようとしているので、選択された測距エリア表示は常に注視されている状態にあるので、選択された測距エリア表示部１ａ〜１ｅが通常の連続点灯から点滅表示になる瞬間に、撮影者は必ず焦点調節エリアの表示の変化が判るので、確実な警告表示となるのである。なお、図２においては警告表示を選択された測距エリア表示部１ａだけとしたが、より目立つ警告を行う為に５カ所全ての測距エリア１ａ〜１ｅで点滅を行っても良い。
【００２３】
ステップＳ４にて警告動作が開始されるとステップＳ５に進み、ＡＦ撮影が終了したか否かを判断し、終了していればステップＳ６に進んで測距エリア表示の点減を停止してからプログラムを終了し、ＡＦ撮影が終了していないのであればステップＳ２に戻り、上述の動作を繰り返す。
【００２４】
図５は、本発明による撮像機器の一実施例を示すブロック結線図である。
【００２５】
ＣＰＵ回路２０には、ＡＦセンサ２１、測光センサ２２、調光センサ２３、シャッタモニタ、フィルム給送センサ２５、絞り制御センサ２６が接続されており、ＣＰＵ回路２０は撮像装置の動作状態を検知することができる。検知結果は、表示２７において表示され、撮影者に知らされる。
【００２６】
図６〜図８までは、フィルム給送不良表示の例を示すファインダ画面２の正面図である。図６、図７、図８の順で、各状態において、測距エリア表示部１ｄ、測距エリア表示部１ａ、測距エリア表示部１ｂが、それぞれ点減を繰り返し行う。また、逆方向の点減でも、あるいは上記と正方向・逆方向の点滅の組み合わせの表示を行って、内容（フィルム途中引っかかり・フィルムＥＮＤ・フィルム引出力量異常等）を区別する表示を行ってもよい。
【００２７】
図９は、フラッシュ調光が正常に適正露出で行われたことを表示するファインダ画面２の正面図である。４個の測距エリア表示部１ｂ、１ｃ、１ｄ、１ｅが、同時に点滅を繰り返すことでフラッシュ調光が正常に適正露出で行われたことを表示している。
【００２８】
図１０は、フラッシュ調光異常（露出過度もしくは露出不足）を表示するファインダ画面２の正面図である。５個の測距エリア表示部１ａ、１ｂ、１ｃ、１ｄ、１ｅが、同時に点滅を繰り返すことでフラッシュ調光が異常（露出過度もしくは露出不足）であることを表示している。
【００２９】
図１１〜図１３は、ピントを手動調節する場合のフォーカスエイド表示である。図１１〜図１３は、３角形の頂点に位置する３個の測距エリア表示部１ｂ、１ｃ、１ｅが、同時に点滅を繰り返す状態（図１１）、縦に並んだ３個の測距エリア表示部１ｂ、１ａ、１ｅが、同時に点滅を繰り返す状態（図１２）、３角形の頂点に位置する３個の測距エリア表示部１ｂ、１ｄ、１ｅが、同時に点滅を繰り返す状態（図１３）を示している。即ち、測距センサ２１からのピント情報を利用して、どちらの方向へレンズもしくはボディのピント調節リングもしくはダイアルを回すべきかを指示している。図１１は「右に回せ」、図１２は「ピント合焦、止まれ」、図１３は「左に回せ」と指示している。
【００３０】
図１４は、露出調節可能範囲外のアンダー状態を示す。シャッタ速度および絞り調節範囲外または露出計連動範囲外で、そのまま撮影すると露出アンダーになってしまう場合を示す。下向き３角形の頂点に位置する３個の測距エリア表示部１ｄ、１ｅ、１ｂが、同時に点滅を繰り返すことで、アンダー状態であることを示している。
【００３１】
図１５は、露出調節可能範囲外の露出オーバー状態を示す。シャッタ速度および絞り調節範囲外または露出計連動範囲外でそのまま撮影すると露出オーバーになってしまう場合を示す。上向き３角形の頂点に位置する３個の測距エリア表示部１ｄ、１ｃ、１ｂが、同時に点滅を繰り返すことで、オーバー状態であることを示している。
【００３２】
図１６は、フラッシュ調光結果が露出アンダーであることを示す。下向き３角形の頂点に位置する３個の測距エリア表示部１ｄ、１ｅ、１ｂと、中心の測距エリア表示部１ａの合計４個の測距エリア表示部が、同時に点滅を繰り返すことで、フラッシュ調光結果が露出アンダー状態であることを示している。
【００３３】
図１７は、フラッシュ調光結果が露出オーバーであることを示す。上向き３角形の頂点に位置する３個の測距エリア表示部１ｄ、１ｃ、１ｂと、中心の測距エリア表示部１ａの合計４個の測距エリア表示部が、同時に点滅を繰り返すことで、フラッシュ調光結果が露出オーバー状態であることを示している。
【００３４】
図１８は、パノラマ撮影機能を有するカメラのパノラマ撮影時のファインダー表示である。上下の非撮影部分１ｆおよび１ｇは、液晶やエレクトロクロミックなどによって斜線エリアとして表示される。
【００３５】
図１９は、パノラマ撮影表示部を利用したフラッシュ調光結果がアンダーであった旨の表示、あるいは露出調節可能範囲外の露出アンダー警告である。下側の非撮影部分１ｇのみを斜線エリアとして表示することにより、露出アンダーであることを警告している。
【００３６】
図２０は、パノラマ撮影表示部を利用したフラッシュ調光結果がオーバーであった旨の表示、あるいは露出調節可能範囲外の露出オーバー警告である。上側の非撮影部分１ｆのみを斜線エリアとして表示することにより、露出オーバーであることを警告している。
【００３７】
図２１は、ＡＰＳカメラにおける標準サイズ撮影時の非撮影希望範囲を示すファインダー表示である。左右の非撮影希望部分１ｈおよび１ｉは、液晶やエレクトロクロミック等によって斜線エリアとして表示される。
【００３８】
図２２および図２３のように、左右の非撮影希望部分１ｈまたは１ｉが交互に点減表示を行うことで、フィルム給送不良事故の警告表示を行っている。
【００３９】
図２４は、フラッシュ調光の概念を示す。時刻０にて発光を開始したフラッシュ光の強さは、図２４に示すような曲線で描かれる。フィルムに与えられる露出光量は、この曲線と時間軸に囲まれた面積で表される。フラッシュが発光を開始してからの発光量を調光センサで積分測定し、適正発光量となった時点Ｔｓにて発光を停止させることをフラッシュ調光と称する。この場合、図２４の斜線部が発光量となる。なお、被写体が遠方で発光の途中停止を行わなかったにも関わらず適正発光量に達さない場合を調光アンダー、また被写体が近すぎて適正発光量に達するまでの時間が余りにも短い為、調光動作を行う時間すらなく、発光停止した時点（Ｔｓ）においては既に露出オーバーになっている場合を調光オーバーと称する。図９、図１０、図１６、図１７、図１９、図２０で説明した表示例が関連する。
【００４０】
図２５は、連続動体追尾オートフォーカス時のピントの合い方の説明図であり、図３で説明した表示例が関連する。
【００４１】
連続追尾オートフォーカスとは、被写体の近い過去の動作から、近い未来のある時点における被写体の予想像面位置を算出して、予想時点において予想被写体像面位置にＡＦ像面位置が一致するように制御するオートフォーカスのことを指す。図２５では、動く被写体の像面が太い実線で示され、その上下には被写界深度が二点鎖線で示されている。時刻０からカメラの連続動体追尾オートフォーカス機能が働き始め、カメラのピント像面は、図２５の破線のように被写体像面に追い付いて行く。
【００４２】
時刻Ｔ１にて被写界深度内に達し、カメラは「合焦状態」と判断する。次いで、被写体が時刻Ｔ２にてカメラに対して時刻Ｔ２以前とは異なる運動を開始したと仮定する。すると、直後の時刻Ｔ３に於いて、カメラのピント面は被写体に対する被写界深度から外れ、「ピント外れ」とカメラは判断する。しかし、依然として被写体追尾オートフォーカス機能が作動しているので、時刻Ｔ４以後には「合焦状態」に復帰する。
【００４３】
【発明の効果】
以上のように、本発明の撮像機器によれば、ファインダ内の撮影視野枠内の所定領域をスーパーインポーズ表示する第１表示部（１ａ〜１ｅ、１ｆ〜１ｇ、１ｈ〜１ｉ）と、撮像視野枠内の所定領域とは異なる領域をスーパーインポーズ表示する第２表示部（第１表示部とは異なる１ａ〜１ｅ、１ｆ〜１ｇ、１ｈ〜１ｉ）とにより、ファインダ内スーパーインポーズ表示を用いて撮像装置の動作状態を表示するようにしている。
【００４４】
これにより、撮影者が撮影時に画面に集中している状況で常に注視している画面内部のスーパーインポーズ表示部を利用して撮影者に警告が出来るので、撮影者に見落とされる確率の極めて少ない、確実で、かつリアルタイムな撮像装置の警告が、部品点数や実装スペースの増加無しに達成可能となる。
【図面の簡単な説明】
【図１】本発明による撮像機器の一実施例を示す正面図である。
【図２】本発明による撮像機器の一実施例を示す正面図である。
【図３】本発明による撮像機器の一実施例を示すフローチャートである。
【図４】本発明による撮像機器の一実施例を示す斜視図である。
【図５】本発明による撮像機器の一実施例を示すブロック結線図である。
【図６】本発明による撮像機器の一実施例を示す正面図である。
【図７】本発明による撮像機器の一実施例を示す正面図である。
【図８】本発明による撮像機器の一実施例を示す正面図である。
【図９】本発明による撮像機器の一実施例を示す正面図である。
【図１０】本発明による撮像機器の一実施例を示す正面図である。
【図１１】本発明による撮像機器の一実施例を示す正面図である。
【図１２】本発明による撮像機器の一実施例を示す正面図である。
【図１３】本発明による撮像機器の一実施例を示す正面図である。
【図１４】本発明による撮像機器の一実施例を示す正面図である。
【図１５】本発明による撮像機器の一実施例を示す正面図である。
【図１６】本発明による撮像機器の一実施例を示す正面図である。
【図１７】本発明による撮像機器の一実施例を示す正面図である。
【図１８】本発明による撮像機器の一実施例を示す正面図である。
【図１９】本発明による撮像機器の一実施例を示す正面図である。
【図２０】本発明による撮像機器の一実施例を示す正面図である。
【図２１】本発明による撮像機器の一実施例を示す正面図である。
【図２２】本発明による撮像機器の一実施例を示す正面図である。
【図２３】本発明による撮像機器の一実施例を示す正面図である。
【図２４】本発明による撮像機器の一実施例を示す特性図である。
【図２５】本発明による撮像機器の一実施例を示す特性図である。
【符号の説明】
１ａ  中央測距エリア表示部
１ｂ  右方測距エリア表示部
１ｃ  上方測距エリア表示部
１ｄ  左方測距エリア表示部
１ｅ  下方測距エリア表示部
１ｆ  非撮影部分
１ｇ  非撮影部分
１ｈ  非撮影希望部分
１ｉ  非撮影希望部分
２    ファインダ視野枠
４    カメラ
４１  シャッタボタン
４２  ＡＦ作動ボタン
４３  測距エリア選択ボタン
【図１】
0004685203.tif 000002
【図２】
0004685203.tif 000003
【図３】
0004685203.tif 000004
【図４】
0004685203.tif 000005
【図５】
0004685203.tif 000006
【図６】
0004685203.tif 000007
【図７】
0004685203.tif 000008
【図８】
0004685203.tif 000009
【図９】
0004685203.tif 000010
【図１０】
0004685203.tif 000011
【図１１】
0004685203.tif 000012
【図１２】
0004685203.tif 000013
【図１３】
0004685203.tif 000014
【図１４】
0004685203.tif 000015
【図１５】
0004685203.tif 000016
【図１６】
0004685203.tif 000017
【図１７】
0004685203.tif 000018
【図１８】
0004685203.tif 000019
【図１９】
0004685203.tif 000020
【図２０】
0004685203.tif 000021
【図２１】
0004685203.tif 000022
【図２２】
0004685203.tif 000023
【図２３】
0004685203.tif 000024
【図２４】
0004685203.tif 000025
【図２５】
0004685203.tif 000026